【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
それぞれ異なる第１色、第２色、第３色、および第４色に対応する第１サブ画素、第２サブ画素、第３サブ画素、および第４サブ画素を含み、前記第１サブ画素と前記第２サブ画素とが第１方向において隣り合い、前記第２サブ画素と前記第３サブ画素とが前記第１方向と交差する第２方向において隣り合い、前記第３サブ画素と前記第４サブ画素とが前記第１方向において隣り合い、前記第４サブ画素と前記第１サブ画素とが前記第２方向において隣り合う４個のサブ画素によって各々が構成される複数の画素を有し、前記第１色が前記第２色、前記第３色、および前記第４色の成分を含む色である表示装置に画像信号を出力する出力部と、
前記複数の画素について前記第１色に対応する第１画像信号に対して、前記第１方向および前記第２方向の周波数の帯域を、前記第１サブ画素、および前記第３サブ画素の位置関係に応じて制限し、かつ、前記第１画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第１フィルター部と、
前記複数の画素について前記第２サブ画素の階調値を示す第２画像信号に対して、前記第１方向および前記第２方向の周波数の帯域を、前記第１サブ画素および前記第２サブ画素の位置関係に応じて制限し、かつ、前記第２画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第２フィルター部と、
前記複数の画素について前記第３サブ画素の階調値を示す第３画像信号に対して、前記第１方向および前記第２方向の周波数の帯域を、前記第１サブ画素および前記第３サブ画素の位置関係に応じて制限し、かつ、前記第３画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第３フィルター部と、
前記複数の画素について前記第４サブ画素の階調値を示す第４画像信号に対して、前記第１方向および前記第２方向の周波数の帯域を、前記第１サブ画素および前記第４サブ画素の位置関係に応じて制限し、かつ、前記第４画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第４フィルター部と
を有し、
前記第１フィルター部、前記第２フィルター部、前記第３フィルター部、および前記第４フィルター部は、前記第１方向および前記第２方向において所定の低周波領域の周波数応答が共通である
ことを特徴とする画像処理装置。
【請求項２】
前記第２フィルター部は、高周波領域において前記第１方向と前記第２方向とで周波数応答が異なるように、前記第２画像信号の周波数応答を調整する
ことを特徴とする請求項１に記載の画像処理装置。
【請求項３】
前記第２フィルター部は、前記第１方向の高周波領域において正になり、前記第２方向の高周波領域において負になるように前記第２画像信号の周波数応答を調整する
ことを特徴とする請求項２に記載の画像処理装置。
【請求項４】
前記第４フィルター部は、高周波領域において前記第１方向と前記第２方向とで周波数応答が異なるように、前記第４画像信号の周波数応答を調整する
ことを特徴とする請求項１ないし３のいずれか一項に記載の画像処理装置。
【請求項５】
前記第４フィルター部は、前記第１方向の高周波領域において負になり、前記第２方向の高周波領域において正になるように前記第４画像信号の周波数応答を調整する
ことを特徴とする請求項４に記載の画像処理装置。
【請求項６】
前記第１フィルター部は、前記第１方向および前記第２方向の高周波領域において＋Ｈ１となるように前記第１画像信号の周波数応答を調整し、
前記第２フィルター部は、前記第１方向の高周波領域において＋Ｈ２となり、前記第２方向の高周波領域において−Ｈ２となるように前記第２画像信号の周波数応答を調整し、
前記第３フィルター部は、前記第１方向および前記第２方向の高周波領域において＋Ｈ３となるように前記第３画像信号の周波数応答を調整し、
前記第４フィルター部は、前記１方向の高周波領域において−Ｈ４となり、前記第２方向の高周波領域において＋Ｈ４となるように前記第４画像信号の周波数応答を調整する
ことを特徴とする請求項１ないし５のいずれか一項に記載の画像処理装置。
ただし、Ｈ１、Ｈ２、Ｈ３、およびＨ４は次式（１）により決定される。
【数１】
2014021426.tif 000001
ここで、Ｒ２、Ｒ３、およびＲ４は、次式（２）により決定されるパラメーターである。
【数２】
2014021426.tif 000002
ここで、Ａ２、Ａ３、およびＡ４は、それぞれ、第２色、第３色、および第４色の高周波領域における振幅を示し、Ａ２１、Ａ３１、およびＡ４１は、それぞれ、第１色の第２色成分、第３色成分、および第４色成分における振幅を示す。
【請求項７】
前記高周波成分の振幅は、２画素／サイクルの周波数における振幅である
ことを特徴とする請求項１ないし６のいずれか一項に記載の画像処理装置。
【請求項８】
前記共通の周波数応答は、１である
ことを特徴とする請求項１ないし７のいずれか一項に記載の画像処理装置。
【請求項９】
それぞれ異なる第１色、第２色、第３色、および第４色に対応する第１サブ画素、第２サブ画素、第３サブ画素、および第４サブ画素を含み、前記第１サブ画素と前記第２サブ画素とが第１方向において隣り合い、前記第２サブ画素と前記第３サブ画素とが前記第１方向と交差する第２方向において隣り合い、前記第３サブ画素と前記第４サブ画素とが前記第１方向において隣り合い、前記第４サブ画素と前記第１サブ画素とが前記第２方向において隣り合う４個のサブ画素によって各々が構成される複数の画素を有し、前記第１色が前記第２色、前記第３色、および前記第４色の成分を含む色である表示部と、
前記表示部に画像信号を出力する出力部と、
前記複数の画素について前記第１色に対応する第１画像信号に対して、前記第１方向および前記第２方向の周波数の帯域を、前記第１サブ画素、および前記第３サブ画素の位置関係に応じて制限し、かつ、前記第１画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第１フィルター部と、
前記複数の画素について前記第２サブ画素の階調値を示す第２画像信号に対して、前記第１方向および前記第２方向の周波数の帯域を、前記第１サブ画素および前記第２サブ画素の位置関係に応じて制限し、かつ、前記第２画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第２フィルター部と、
前記複数の画素について前記第３サブ画素の階調値を示す第３画像信号に対して、前記第１方向および前記第２方向の周波数の帯域を、前記第１サブ画素および前記第３サブ画素の位置関係に応じて制限し、かつ、前記第３画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第３フィルター部と、
前記複数の画素について前記第４サブ画素の階調値を示す第４画像信号に対して、前記第１方向および前記第２方向の周波数の帯域を、前記第１サブ画素および前記第４サブ画素の位置関係に応じて制限し、かつ、前記第４画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第４フィルター部と
を有し、
前記第１フィルター部、前記第２フィルター部、前記第３フィルター部、および前記第４フィルター部は、前記第１方向および前記第２方向において所定の低周波領域の周波数応答が共通である
ことを特徴とする表示装置。
【請求項１０】
それぞれ異なる第１色、第２色、第３色、および第４色に対応する第１サブ画素、第２サブ画素、第３サブ画素、および第４サブ画素を含み、前記第１サブ画素と前記第２サブ画素とが第１方向において隣り合い、前記第２サブ画素と前記第３サブ画素とが前記第１方向と交差する第２方向において隣り合い、前記第３サブ画素と前記第４サブ画素とが前記第１方向において隣り合い、前記第４サブ画素と前記第１サブ画素とが前記第２方向において隣り合う４個のサブ画素によって各々が構成される複数の画素を有し、前記第１色が前記第２色、前記第３色、および前記第４色の成分を含む色である表示装置に画像信号を出力部が出力するステップと、
前記複数の画素について前記第１色に対応する第１画像信号に対して、前記第１方向および前記第２方向の周波数の帯域を、前記第１サブ画素、および前記第３サブ画素の位置関係に応じて制限し、かつ、前記第１画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第１フィルター部が調整するステップと、
前記複数の画素について前記第２サブ画素の階調値を示す第２画像信号に対して、前記第１方向および前記第２方向の周波数の帯域を、前記第１サブ画素および前記第２サブ画素の位置関係に応じて制限し、かつ、前記第２画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第２フィルター部が調整するステップと、
前記複数の画素について前記第３サブ画素の階調値を示す第３画像信号に対して、前記第１方向および前記第２方向の周波数の帯域を、前記第１サブ画素および前記第３サブ画素の位置関係に応じて制限し、かつ、前記第３画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第３フィルター部が調整するステップと、
前記複数の画素について前記第４サブ画素の階調値を示す第４画像信号に対して、前記第１方向および前記第２方向の周波数の帯域を、前記第１サブ画素および前記第４サブ画素の位置関係に応じて制限し、かつ、前記第４画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第４フィルター部が調整するステップと
を有し、
前記第１フィルター部、前記第２フィルター部、前記第３フィルター部、および前記第４フィルター部は、前記第１方向および前記第２方向において所定の低周波領域の周波数応答が共通である
ことを特徴とする画像処理方法。
【手続補正２】
【補正対象書類名】明細書
【補正対象項目名】０００７
【補正方法】変更
【補正の内容】
【０００７】
本発明は、それぞれ異なる第１色、第２色、第３色、および第４色に対応する第１サブ画素、第２サブ画素、第３サブ画素、および第４サブ画素を含み、前記第１サブ画素と前記第２サブ画素とが第１方向において隣り合い、前記第２サブ画素と前記第３サブ画素とが前記第１方向と交差する第２方向において隣り合い、前記第３サブ画素と前記第４サブ画素とが前記第１方向において隣り合い、前記第４サブ画素と前記第１サブ画素とが前記第２方向において隣り合う４個のサブ画素によって各々が構成される複数の画素を有し、前記第１色が前記第２色、前記第３色、および前記第４色の成分を含む色である表示装置に画像信号を出力する出力部と、前記複数の画素について前記第１色に対応する第１画像信号に対して、前記第１方向および前記第２方向の周波数の帯域を、前記第１サブ画素、および前記第３サブ画素の位置関係に応じて制限し、かつ、前記第１画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第１フィルター部と、前記複数の画素について前記第２サブ画素の階調値を示す第２画像信号に対して、前記第１方向および前記第２方向の周波数の帯域を、前記第１サブ画素および前記第２サブ画素の位置関係に応じて制限し、かつ、前記第２画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第２フィルター部と、前記複数の画素について前記第３サブ画素の階調値を示す第３画像信号に対して、前記第１方向および前記第２方向の周波数の帯域を、前記第１サブ画素および前記第３サブ画素の位置関係に応じて制限し、かつ、前記第３画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第３フィルター部と、前記複数の画素について前記第４サブ画素の階調値を示す第４画像信号に対して、前記第１方向および前記第２方向の周波数の帯域を、前記第１サブ画素および前記第４サブ画素の位置関係に応じて制限し、かつ、前記第４画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第４フィルター部とを有し、前記第１フィルター部、前記第２フィルター部、前記第３フィルター部、および前記第４フィルター部は、前記第１方向および前記第２方向において所定の低周波領域の周波数応答が共通であることを特徴とする画像処理装置を提供する。
この画像処理装置によれば、４色のサブ画素によって色表示を行う場合において、各色で独立したフィルター処理を行うときと比較して、モアレまたは偽色の発生を抑制することができる。
【手続補正３】
【補正対象書類名】明細書
【補正対象項目名】００１５
【補正方法】変更
【補正の内容】
【００１５】
また、本発明は、それぞれ異なる第１色、第２色、第３色、および第４色に対応する第１サブ画素、第２サブ画素、第３サブ画素、および第４サブ画素を含み、前記第１サブ画素と前記第２サブ画素とが第１方向において隣り合い、前記第２サブ画素と前記第３サブ画素とが前記第１方向と交差する第２方向において隣り合い、前記第３サブ画素と前記第４サブ画素とが前記第１方向において隣り合い、前記第４サブ画素と前記第１サブ画素とが前記第２方向において隣り合う４個のサブ画素によって各々が構成される複数の画素を有し、前記第１色が前記第２色、前記第３色、および前記第４色の成分を含む色である表示部と、前記表示部に画像信号を出力する出力部と、前記複数の画素について前記第１色に対応する第１画像信号に対して、前記第１方向および前記第２方向の周波数の帯域を、前記第１サブ画素、および前記第３サブ画素の位置関係に応じて制限し、かつ、前記第１画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第１フィルター部と、前記複数の画素について前記第２サブ画素の階調値を示す第２画像信号に対して、前記第１方向および前記第２方向の周波数の帯域を、前記第１サブ画素および前記第２サブ画素の位置関係に応じて制限し、かつ、前記第２画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第２フィルター部と、前記複数の画素について前記第３サブ画素の階調値を示す第３画像信号に対して、前記第１方向および前記第２方向の周波数の帯域を、前記第１サブ画素および前記第３サブ画素の位置関係に応じて制限し、かつ、前記第３画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第３フィルター部と、前記複数の画素について前記第４サブ画素の階調値を示す第４画像信号に対して、前記第１方向および前記第２方向の周波数の帯域を、前記第１サブ画素および前記第４サブ画素の位置関係に応じて制限し、かつ、前記第４画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて調整する第４フィルター部とを有し、前記第１フィルター部、前記第２フィルター部、前記第３フィルター部、および前記第４フィルター部は、前記第１方向および前記第２方向において所定の低周波領域の周波数応答が共通であることを特徴とする表示装置を提供する。
この表示装置によれば、４色のサブ画素によって色表示を行う場合において、各色で独立したフィルター処理を行うときと比較して、モアレまたは偽色の発生を抑制することができる。
【手続補正４】
【補正対象書類名】明細書
【補正対象項目名】００１６
【補正方法】変更
【補正の内容】
【００１６】
さらに、本発明は、それぞれ異なる第１色、第２色、第３色、および第４色に対応する第１サブ画素、第２サブ画素、第３サブ画素、および第４サブ画素を含み、前記第１サブ画素と前記第２サブ画素とが第１方向において隣り合い、前記第２サブ画素と前記第３サブ画素とが前記第１方向と交差する第２方向において隣り合い、前記第３サブ画素と前記第４サブ画素とが前記第１方向において隣り合い、前記第４サブ画素と前記第１サブ画素とが前記第２方向において隣り合う４個のサブ画素によって各々が構成される複数の画素を有し、前記第１色が前記第２色、前記第３色、および前記第４色の成分を含む色である表示装置に画像信号を出力部が出力するステップと、前記複数の画素について前記第１色に対応する第１画像信号に対して、前記第１方向および前記第２方向の周波数の帯域を、前記第１サブ画素、および前記第３サブ画素の位置関係に応じて制限し、かつ、前記第１画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第１フィルター部が調整するステップと、前記複数の画素について前記第２サブ画素の階調値を示す第２画像信号に対して、前記第１方向および前記第２方向の周波数の帯域を、前記第１サブ画素および前記第２サブ画素の位置関係に応じて制限し、かつ、前記第２画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第２フィルター部が調整するステップと、前記複数の画素について前記第３サブ画素の階調値を示す第３画像信号に対して、前記第１方向および前記第２方向の周波数の帯域を、前記第１サブ画素および前記第３サブ画素の位置関係に応じて制限し、かつ、前記第３画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第３フィルター部が調整するステップと、前記複数の画素について前記第４サブ画素の階調値を示す第４画像信号に対して、前記第１方向および前記第２方向の周波数の帯域を、前記第１サブ画素および前記第４サブ画素の位置関係に応じて制限し、かつ、前記第４画像信号の周波数応答を、前記第２色、前記第３色、および前記第４色のそれぞれに対応する画像信号の高周波成分の振幅、並びに前記第１画像信号の高周波成分の前記第２色成分、前記第３色成分、および前記第４色成分の振幅に応じて第４フィルター部が調整するステップとを有し、前記第１フィルター部、前記第２フィルター部、前記第３フィルター部、および前記第４フィルター部は、前記第１方向および前記第２方向において所定の低周波領域の周波数応答が共通であることを特徴とする画像処理方法を提供する。
この画像処理方法によれば、４色のサブ画素によって色表示を行う場合において、各色で独立したフィルター処理を行うときと比較して、モアレまたは偽色の発生を抑制することができる。
【手続補正５】
【補正対象書類名】明細書
【補正対象項目名】００３３
【補正方法】変更
【補正の内容】
【００３３】
図５は、ベイヤー配列のサブ画素によって形成される格子を示す図である。サブ画素Ｇにより形成される格子（以下「格子Ｇ」という）は、サブ画素Ｒ（またはサブ画素Ｂ）により形成される格子（以下「格子Ｒ／Ｂ」という）よりも１辺が短い正方形であり、かつ、格子Ｒ／Ｂに対して４５°傾いている。格子Ｇの一辺の長さは、格子Ｒ／Ｂの√２／２（２の平方根を２で除した数）倍である。このように、ベイヤー配列においては、Ｇ成分に関してはＲ成分およびＢ成分よりも高解像度の表示が可能である。したがって、Ｇ信号の通過帯域をＲ信号またはＢ信号の通過帯域よりも広くすることが可能である。Ｇ成分はＲ成分およびＢ成分と比較して人間の目における分光感度が高いため、サブ画素Ｇを各画素に２つ配列することにより、視覚的な解像度を向上させることができる。
【手続補正６】
【補正対象書類名】明細書
【補正対象項目名】００３４
【補正方法】変更
【補正の内容】
【００３４】
２−２．４色ベイヤー配列におけるフィルター特性（比較例）
図６は、４色ベイヤー配列における比較例に係るフィルターの特性を例示する図である。Ｇ成分については、図４で説明したものと同じ帯域制限が行われる。Ｗ成分については、Ｇ成分と同じ帯域制限が行われる。サブ画素Ｗに含まれるＲ成分、Ｇ成分、およびＢ成分のうち、人間の目における分光感度が最も高いのはＧ成分であるため、サブ画素Ｗをサブ画素Ｇとみなして帯域制限が行われている。次に、Ｂ成分については、Ｙ方向において、入力信号と比較すると帯域が低域側の半分に制限される。Ｘ方向の帯域は制限されない。これは、入力信号においてはすべての画素がＢ成分を含んでいるのに対し、液晶パネル２０のサブ画素配列においては、Ｙ方向においては１画素おきにサブ画素Ｂが配置され、Ｘ方向においては、サブ画素Ｂおよびサブ画素Ｗのいずれかがすべての列に配置されているためである。次に、Ｒ成分については、Ｘ方向において、入力信号と比較すると帯域が低域側の半分に制限される。Ｙ方向の帯域は制限されない。これは、入力信号においてはすべての画素がＲ成分を含んでいるのに対し、液晶パネル２０のサブ画素配列においては、Ｘ方向においては１画素おきにサブ画素Ｒが配置され、Ｙ方向においては、サブ画素Ｒおよびサブ画素Ｗのいずれかがすべての行に配置されているためである。
【手続補正７】
【補正対象書類名】明細書
【補正対象項目名】００３５
【補正方法】変更
【補正の内容】
【００３５】
図７は、比較例の問題点を説明する図である。サブ画素Ｗは、Ｇ成分だけではなくＲ成分およびＢ成分も含んでいるので、Ｗ成分とＢ成分とで帯域制限が異なる部分が存在する。例えば、図７は、信号Ｗは透過されるが信号Ｂは透過されない帯域をハッチングで示している。この例では、Ｙ方向の高周波側に、信号Ｗは透過されるが信号Ｂは透過されない帯域が存在する。この帯域においては、信号ＷのＢ成分に起因するモアレが発生してしまう場合がある。このモアレはＢ成分に起因するので、色がついて見える場合がある（この現象を「偽色」という）。Ｒ成分についても同様である。本実施形態に係るフィルター処理部４３は、この問題に対処したフィルター処理を提供する。
【手続補正８】
【補正対象書類名】明細書
【補正対象項目名】００４８
【補正方法】変更
【補正の内容】
【００４８】
次に、次式（４）により、高周波成分（この例では２画素／サイクル）における各信号のＲ、Ｇ、およびＢ成分の振幅が算出される。
【数４】
2014021426.tif 000003
ここで、Ａ＊（＊＝Ｒ，Ｇ，Ｂ，Ｒｗ，Ｇｗ，Ｂｗ）は、各信号のＲ、Ｇ、およびＢ成分の振幅を表す。また、＊ｍａｘ（＊＝Ｒ，Ｇ，Ｂ，Ｗ）は、入力信号Ｒ０、Ｇ０、およびＢ０が最大の時（例えば１２ビットなら４０９５）における輝度リニアな信号に変換した後の信号Ｒ２、Ｇ２、Ｂ２、Ｗ２であり、＊ｍｉｎ（＊＝Ｒ，Ｇ，Ｂ，Ｗ）は、入力信号Ｒ０、Ｇ０、およびＢ０が最小の時（例えば１２ビットなら０）における輝度リニアな信号に変換した後の信号Ｒ２、Ｇ２、Ｂ２、Ｗ２である。
【手続補正９】
【補正対象書類名】明細書
【補正対象項目名】００５２
【補正方法】変更
【補正の内容】
【００５２】
図１１は、フィルター処理部４３の理想的な特性を例示する図である。図１１（ａ）はＹ方向の周波数ｆｙがｆｙ＝０の場合のＸ方向の周波数ｆｘに対する周波数応答ＦＲＲの特性を、図１１（ｂ）はＸ方向の周波数ｆｘがｆｘ＝０の場合のＹ方向の周波数ｆｙに対する周波数応答ＦＲＲの特性を、それぞれ示している。図１１（ａ）の横軸はＸ方向の周波数ｆｘを、図１１（ｂ）の横軸はＹ方向の周波数ｆｙを、それぞれ示している。縦軸はいずれも周波数応答である。図１１（ａ）において、周波数が１画素／サイクル（１サイクルあたりのサブ画素数で規格化した周波数で表すと０．２５）未満の領域が領域Ｂｒ５に相当し、周波数が１画素／サイクルを超える領域が領域Ｂｒ２に相当する。この例で、０≦ｆｘ≦１の領域ではＦＲＲ＝１であり、１≦ｆｘ≦２の領域ではＦＲＲ＝−ＨＲ（≦−１）である。また、０≦ｆｙ≦１の領域ではＦＲＲ＝１であり、１≦ｆｙ≦２の領域ではＦＲＲ＝＋ＨＲ（≦１）である。なお、図１１の特性はあくまで理想的な特性を示しており、フィルター処理部４３の特性は、必ずしも図１１に例示される特性と完全に一致している必要はない。
【手続補正１０】
【補正対象書類名】明細書
【補正対象項目名】００５６
【補正方法】変更
【補正の内容】
【００５６】
また、画素内のサブ画素の位置関係も、上述した実施形態のものに限定されない。本発明の画素は、サブ画素Ｗと同様の帯域制限を施すサブ画素（実施形態ではサブ画素Ｇ）がサブ画素Ｗからみて四辺形の対角線方向に位置していれば、隣り合うサブ画素が実施形態と異なっていてもよい。
【手続補正１１】
【補正対象書類名】図面
【補正対象項目名】図９
【補正方法】変更
【補正の内容】
【図９】
2014021426.tif 000004
【手続補正１２】
【補正対象書類名】図面
【補正対象項目名】図１０
【補正方法】変更
【補正の内容】
【図１０】
2014021426.tif 000005